(57)【要約】【課題】  手袋を装着することにより、指先と手の平で強く握る必要がない、ゴルフのスイングを改善するための練習具を提供する。【解決手段】  手袋１と４本のロープ２の束とゴムベルト３とフック４から構成され、手袋１の人差指、中指、薬指、小指の各先端にそれぞれ４本のロープ２の一端を取り付け、その各ロープ２の他端にゴムベルト３の一端を取り付け、そのゴムベルト３の他端にフック４を取り付ける。  練習者は手袋を手に装着し、フックを支柱などの固定物に引っ掛けて固着し、手袋を装着した手がロープを引っ張るように動かすと、ゴムベルトの弾性力により、手の運動方向に対して負荷が掛かる。そのときゴルフボールが飛んで行く目標方向に引きよせたり緩めたりすることで下半身リードの理想的なゴルフスイングが体得できる。【選択図】図２
0003233465.tif 000002
【実用新案登録請求の範囲】
【請求項１】
手袋とハーネスとゴムベルトとフックからなり、手袋の人差指、中指、薬指、小指の各先端にそれぞれ４本のロープの一端を取り付け、その各ロープの他端をゴムベルトの一端を取り付け、そのゴムベルトの他端にフックを取り付けたことを特徴とするゴルフスイング改善練習具。
【考案の詳細な説明】
【技術分野】
【０００１】  本考案は、ゴルフスイングを改善するための練習具に関するものである。
【背景技術】
【０００２】  従来、ゴルフスイングの練習器具が多く考案され、市場に提供されている。例えば、ゴルフクラブを模した形状で先端部に交換可能な重りを取り付け重量調整できるようにしたものや、クラブのグリップ部に補助器具を取り付けるようにしたもの、あるいは、ゴルファの身体にゴムベルト等の弾性伸縮帯を取り付けてゴルファのスイングの動きを矯正又は強化しようとするものなどがある。
また、手の平側で強く握りスイングする棒状の練習器具は存在していたが、練習器具をしっかり握り引きつけるタイプのものしかなかったため、クラブを強く握り過ぎてしまうためヘッドスピードが十分に出ない現象が起きるという問題があった。
【先行技術文献】
【特許文献１】特願２０００−５４５６１９号公報
【考案の概要】
【考案が解決しようとする課題】
【０００３】  本考案は、上述のような問題点に鑑みてなされたもので、手袋を装着することにより、指先と手のひらでで強く握る必要がない、ゴルフのスイングを改善するための練習具を提供することを目的とする。
【課題を解決するための手段】
【０００４】  上記課題を解決するために、本考案のゴルフスイング改善練習具は、手袋の人差指、中指、薬指、小指の各先端にそれぞれ４本のロープの一端を取り付け、その各ロープの他端にゴムベルトの一端を取り付け、そのゴムベルトの他端にフックを取り付けたことを特徴とする。【０００５】  このゴルフスイング改善練習具を使って練習するときは、練習者は手袋を手に装着し、フックを支柱などの固定物に引っ掛けて固着して使用する。このとき練習者は、ゴルフスイング改善練習具の固着部が自己の体の右側後方に位置するように立ち、手袋を装着した手を、手の甲を下にして手首をほぼ直角に曲げ、左手指先から手の甲が地面と平行になるようにひきよせる。腕を自己の体の前面に平行となるように位置させ、その体勢で手袋を装着した手がロープを引っ張るように動かすと、ロープにゴムベルトが引っ張られ、ゴムベルトの弾性力により、手の運動方向に対して負荷が掛かる。その時ゴルフボールが飛んで行く目標方向に対し右側後方より引きよせたり、緩めたりすることで上半身リードではなく下半身リードのゴルフスイングになっていく。
この手の運動方向に対して掛かる負荷をスイングのときにクラブを振る方向に対して掛かる負荷のように脳内でイメージして、繰り返し練習することにより、実際にクラブを持ってスイングしたときに練習したイメージ通りのスイングをすることができ、ゴルフのインパクトの理想とされているハンドファーストインパクトの感覚を身に付けることができる。
【考案の効果】
【０００６】  本考案のゴルフスイング改善練習具を使って練習することにより、ハンドファーストインパクトの体得に容易に近づけることができる。
【図面の簡単な説明】
【０００７】
【図１】本考案のゴルフスイング改善練習具の全体を示す構成図である。
【図２】本考案のゴルフスイング改善練習具の使用方法を示す斜視図である。
【考案を実施するための形態】
【０００８】  本考案のゴルフスイング改善練習具は、図１に示すように、手袋１と４本のロープ２の束とゴムベルト３とフック４から構成されている。手袋１の人差指、中指、薬指、小指の各先端にそれぞれ４本のロープ２の一端を取り付け、その各ロープ２の他端にゴムベルト３の一端を取り付け、そのゴムベルト３の他端にフック４を取り付けたものである。
【実施例】
【０００９】  手袋１は、本実施例では革製の作業用手袋を使用しているが、これに限定されるものではなく、材質等も適宜選択することができる。手袋１は、使用中に手からすっぽ抜けないように、手首の部分が細くなっているか、手首の部分にしっかりと締まるようにホック又はチャック付きのものが望ましい。【００１０】  ロープ２は、本実施例では直径５ｍｍ程度の編み紐を使用しているが、ナイロン製や革製のものでもよい。【００１１】  ゴムベルト３は、本実施例ではサーモプラティックエラストマー（ＴＰＥ）製の筋力トレーニング用の市販品を使用しているが、伸縮性の高いゴムベルトで適度な弾性力を有するものであればよく、帯体のものでもチューブ体のものであってもよく、また、リング状に形成したものを使ってもよい。【００１２】  フック４は、本実施例ではリング状又はＳ字状の形状で金属製のものを使用しているが、強化プラスチック製のものでもよい。【００１３】  手袋１の人差指、中指、薬指、小指の各先端と４本のロープ２との取り付けは、手袋１の製造時に、各指の先端部分にロープ２の一端を縫い付けてもよく、又は、手袋１を製造した後で接着剤を用いて接着してもよい。【００１４】  ４本のロープ２の他端とゴムベルト３の一端との取り付けは、縫い付けでも接着剤による接着でもよい。又は、金属製又は強化プラスチック製のリングを介してロープ２とゴムベルト３を連結する方法でもよい。【００１５】  本考案のゴルフスイング改善練習具の使用方法は、図２に示すように、右打ちの練習者は左手に手袋１を装着し、フック４支柱などの固定物に引っ掛けてゴムベルト３を固定する。
そして、練習者は手袋を装着した左手の甲を上にして肘をほぼ直角に曲げ、前腕を自己の体の前面に平行となるように位置させ、その体勢で手袋を装着した手がロープを引っ張るように動かすと、ロープにゴムベルトが引っ張られ、ゴムベルトの弾性力によりゴムベルトを伸ばしたり縮めたりすることによって、手の運動方向に対して負荷が掛かる。このとき、練習者は下半身を使い、右足裏で地面を押すようにして使用し、左腕を目標方向にひきよせる。【００１６】  この動作を繰り返すことにより、左手甲が真下に向き、手首をほぼ直角にすることによりインパクトゾーンがハンドファーストの理想のゴルフスイングになり、スイングの安定とヘッドスピードの向上となる。【００１７】  本考案のゴルフスイング改善練習具は、小型軽量で折り畳むことができるので、カバン等に入れて携行でき、ゴルフ練習場や自宅だけでなく旅行先など何処へでももって言って練習できる。また、構造が簡単で特殊な材料も使わないので、極めて低コストで製造でき安価にゴルフ練習者に提供できるという特長を有する。
【符号の説明】
【００１８】１  手袋
２  ロープ（４本）
３  ゴムベルト
４  フック
５  支柱
【図１】
0003233465.tif 000003
【図２】
0003233465.tif 000004